(57)【要約】【課題】薄型化を図るとともに、部品点数を減少させてコストダウンを図ることができる照明器具を提供する。【解決手段】発光管３１の両端近傍の側面に設けられた口金３２から発光管３１の軸に直交する方向に突設されたランプピンを、器具本体２０に設けられているソケット２１に挿嵌して蛍光ランプ３０に電力を供給する。このとき、ソケット２１においてランプピンが挿嵌されるソケット本体２１１が、取付部２２により移動可能に保持されるとともに、ソケット本体２１１と取付部２２との間に弾性体２６を設けたので、器具本体２０が捩れてもソケット本体２１１が姿勢を修正でき、確実に蛍光ランプ３０を保持できる。また、弾性体２６のみによってソケット本体２１１の姿勢を保持するので、部品点数を減少させてコストダウンを図るとともに薄型化を図ることができる。【選択図】図４
2011009001.tif 000002
【特許請求の範囲】
【請求項１】
発光管の両端近傍の側面に設けられた口金から当該発光管の軸に直交する方向に一対のランプピンが突設された蛍光ランプと、
器具本体の取付面に取付けられ、前記ランプピンを挿嵌することにより前記蛍光ランプに電力を供給するソケットと、を有する照明器具であって、
前記ソケットが、
前記ランプピンを挿嵌するソケット本体と、
前記ソケット本体を移動可能に保持する取付部と、
前記ソケット本体と前記取付部との間に設けられて、前記ソケットの姿勢を保持する弾性体と、を有することを特徴とする照明器具。
【請求項２】
前記取付部が、前記ソケット本体を係止するソケット本体用係止部と、前記器具本体に取付けるための器具用装着部とを有し、
前記ソケット本体が、前記取付部と係合する係合部を有し、
前記器具本体が、前記取付部を取付けるための被装着部を有することを特徴とする請求項１記載の照明器具。
【請求項３】
前記ソケット本体用係止部と前記係合部は前記取付面に対して垂直方向に設けられており、前記ソケット本体用係止部と前記係合部は凹凸であり、凸側が円形であることを特徴とする請求項２記載の照明器具。
【請求項４】
前記凹凸の凹側の内径は、前記凸側の外径よりも大きいことを特徴とする請求項1ないし請求項３のいずれかに記載の照明器具。
【請求項５】
前記弾性体が板バネであることを特徴とする請求項１記載の照明器具。
【請求項６】
前記板バネは、前記取付部からの切り起こしにより形成されていることを特徴とする請求項５記載の照明器具。
【請求項７】
前記板バネの切り起こしの向きが互い違いであることを特徴とする請求項６に記載の照明器具。
【発明の詳細な説明】
【技術分野】
【０００１】
本発明は、発光管の軸に直交する方向に一対のランプピンが設けられたランプを用いた照明器具に関する。
【背景技術】
【０００２】
従来より、発光管の軸に直交する方向に一対のランプピンが設けられたランプを用いた照明器具において、照明器具が捩れた場合でもソケットの捩れを抑えてソケットと蛍光ランプとの接続をより確実に行うことができる照明器具が提案されている（例えば、特許文献１参照）。
【０００３】
以下、図７により従来の照明器具に用いられているソケット１００について説明する。このソケット１００は、取付板１０１と、平板１０２と、ソケット部１０３を有する。取付板１０１はソケット１００を器具本体に取付けるための部材である。ソケット部１０３は、上面に設けられている開口部（図示省略）から蛍光ランプのランプピンを挿嵌して内部に収納されている接続金具に導通させることにより電力を供給するものであり、側面には接続金具に接続するための配線の取り出し口１０４が設けられている。
【０００４】
ソケット部１０３は、コイルバネ１０５、ネジ１０６、ネジ１０７、１０７により、取付板１０１に対して揺動可能に取付られている。取付板１０１に設けられているネジ穴１０８、１０８はネジ１０７、１０７の径より大きくネジ頭より小さい直径を有しており、取付板１０１に対して可動であり、ソケット部１０３に固定されている。平板１０２はソケット部１０３の底面に取付られ、開口部１０９によりコイルバネ１０５の一方の端部を支持し、コイルバネ１０５の位置を固定している。また、ネジ１０６は取付板１０１にネジ止めされ、コイルバネ１０５を支えている。
【０００５】
これにより、取付板１０１を取り付けた取付面が傾斜しても、ソケット部１０３は挿入された蛍光ランプに密着するように支持される。ネジ１０７、１０７は、取付面が傾斜した場合にネジ頭がストッパとなってソケット部１０３を支える役目、あるいは蛍光ランプを取り外すときにソケット部１０３を支持する役目を担う。
【先行技術文献】
【特許文献】
【０００６】
【特許文献１】特開２００１−２１０１３５号公報（第２図）
【発明の概要】
【発明が解決しようとする課題】
【０００７】
しかしながら、前述した従来の照明器具においては、ソケット部１０３と取付板１０１とを連結する部材が、ソケット部１０３と取付板１０１との間に設けられているので、ソケット１００の高さが高くなり、照明器具の薄型化を困難にするという問題があった。また、部品点数が多くなるため、コストアップを招くという問題があった。
【０００８】
本発明は、従来の問題を解決するためになされたもので、薄型化を図るとともに、部品点数を減少させてコストダウンと図ることができる照明器具を提供することを目的とする。
【課題を解決するための手段】
【０００９】
本発明の照明器具は、発光管の両端近傍の側面に設けられた口金から当該発光管の軸に直交する方向に一対のランプピンが突設された蛍光ランプと、器具本体の取付面に取付けられ、前記ランプピンを挿嵌することにより前記蛍光ランプに電力を供給するソケットと、を有する照明器具であって、前記ソケットが、前記ランプピンを挿嵌するソケット本体と、前記ソケット本体を移動可能に保持する取付部と、前記ソケット本体と前記取付部との間に設けられて、前記ソケットの姿勢を保持する弾性体と、を有する構成を有している。
【００１０】
この構成により、発光管の両端近傍の側面に設けられた口金から発光管の軸に直交する方向に突設されたランプピンを、器具本体に設けられているソケットに挿嵌して蛍光ランプに電力を供給する。このとき、ソケットにおいてランプピンが挿嵌されるソケット本体が、取付部により移動可能に保持されるとともに、ソケット本体と取付部との間に弾性体を設けたので、器具本体が捩れてもソケット本体が姿勢を修正でき、確実に蛍光ランプを保持できる。また、弾性体のみによってソケット本体の姿勢を保持するので、部品点数を減少させてコストダウンを図るとともに薄型化を図ることができる。
【００１１】
また、本発明の照明器具は、前記取付部が、前記ソケット本体を係止するソケット本体用係止部と、前記器具本体に取付けるための器具用装着部とを有し、前記ソケット本体が、前記取付部と係合する係合部を有し、前記器具本体が、前記取付部を取付けるための被装着部を有する構成を有している。
【００１２】
この構成により、取付部にソケット本体を係止するソケット本体用係止部を設けるとともに、ソケット本体に取付部と係合する係合部を設けたので、ソケット本体用係止部および係合部を介して、ソケット本体は取付部に保持される。また、取付部に器具用装着部を設けるとともに、器具本体に被装着部を設けたので、取付部は器具用装着部および被装着部を介して器具本体に取付けられる。
【００１３】
また、本発明の照明器具は、前記ソケット本体用係止部と前記係合部は前記取付面に対して垂直方向に設けられており、前記ソケット本体用係止部と前記係合部は凹凸であり、凸側が円形である構成を有している。
【００１４】
この構成により、ソケット本体用係止部と係合部は取付面に対して垂直方向に設けられているので、ソケット本体は取付部に対して上下方向へ移動可能であり、器具本体の幅方向の捩れ（すなわち、器具本体の長手方向の軸を中心とした捩れ）を吸収することができる。また、ソケット本体用係止部と係合部は凹凸で係合しており、凸側が円形であるのでソケット本体は凸側を中心として回転でき、器具本体の長手方向の捩れ（すなわち、器具本体の軸と直交する方向の軸回りの捩れ）を吸収できる。
【００１５】
また、本発明の照明器具は、前記凹凸の凹側の内径は、前記凸側の外径よりも大きい構成を有している。
【００１６】
この構成により、凹凸の凹側の内径は、凸側の外径よりも大きいので、器具本体は、上下方向および前後方向にも移動可能となる。
【００１７】
また、本発明の照明器具は、前記弾性体が板バネである構成を有している。
【００１８】
この構成により、ソケット本体と取付部との間に弾性体として板バネを設けたので、器具本体が捩れてもソケット本体が姿勢を修正でき、確実に蛍光ランプを保持できる。また、板バネのみによってソケット本体の姿勢を保持するので、部品点数を減少させてコストダウンを図るとともに薄型化を図ることができる。
【００１９】
また、本発明の照明器具は、前記板バネは、前記取付部からの切り起こしにより形成されている構成を有している。
【００２０】
この構成により、板バネが取付部を切り起こして形成されているので、他の部品を用いる必要がなく、部品点数を減少させてコストダウンを図るとともに薄型化を図ることができる。
【００２１】
さらに、本発明の照明器具は、前記板バネの切り起こしの向きが互い違いである構成を有している。
【００２２】
この構成により、板バネの切り起こしの向きが互い違いであるので、ソケット本体の下面を均等に支持することができ、ソケット本体の姿勢を保持することができる。
【発明の効果】
【００２３】
本発明は、ソケットにおいてランプピンが挿嵌されるソケット本体が、取付部により移動可能に保持されるとともに、ソケット本体と取付部との間に弾性体を設けたので、器具本体が捩れてもソケット本体が姿勢を修正でき、確実に蛍光ランプを保持できる。また、弾性体のみによってソケット本体の姿勢を保持するので、部品点数を減少させてコストダウンを図るとともに薄型化を図ることができるという効果を有する照明器具を提供できる。
【図面の簡単な説明】
【００２４】
【図１】本発明に係る第１実施形態の照明器具を示す斜視図
【図２】（Ａ）は蛍光ランプとソケットとの装着状態の正面図、（Ｂ）は（Ａ）中Ｂ−Ｂ位置の断面図
【図３】ソケットの斜視図
【図４】ソケットの分解斜視図
【図５】（Ａ）は本発明に係る第２実施形態の照明器具におけるソケット取付部の斜視図、（Ｂ）は（Ａ）中Ｂ方向から見た正面図
【図６】（Ａ）は本発明に係る第３実施形態の照明器具におけるソケット取付部の斜視図、（Ｂ）は（Ａ）中Ｂ方向から見た正面図
【図７】従来の照明器具におけるソケットの分解斜視図
【発明を実施するための形態】
【００２５】
（第１実施形態）
以下、本発明の第１実施形態の照明器具について、図面を用いて説明する。
図１に示すように、本発明に係る第１実施形態の照明器具１０は、器具本体２０の両端部に設けられたソケット２１、２１に、蛍光ランプ３０を装着するものであり、器具本体２０を例えば天井１１や壁に取り付けて使用する。
【００２６】
蛍光ランプ３０は、円形断面の直管状の発光管３１を有し、発光管３１の両端部付近の側面には口金３２を有する。各口金３２の器具本体２０側面（図１において上面）には、各々一対のランプピン（図示省略）が、発光管３１の軸（以後、「発光管の軸」を単に「軸」という。）に直交する方向に突設されている。また、口金３２の幅方向両側面には、係止凸部３２１（図２参照）が軸方向に沿って凸設されている。
なお、図２以下の説明においては、説明の便宜上、ソケット２１の上側に蛍光ランプ３０を装着する状態を図示して説明する。
【００２７】
図１および図２に示すように、器具本体２０の取付面２０１には、蛍光ランプ３０の両端部の口金３２の間隔に対応して一対のソケット２１、２１が取り付けられている。これに対応して、器具本体２０の両端部には、ソケット２１を取付けるための被装着部としての位置決め穴２０２が設けられている。
図２〜図４に示すように、ソケット２１は、器具本体２０に取り付けるための取付部である取付台２２と、取付台２２に取り付けられるソケット本体２１１を有する。
【００２８】
ソケット本体２１１は、軸方向中心側（図２（Ａ）において右側）の本体後部２１２と軸方向端部側（図２（Ａ）において左側）の本体前部２１３とを有し、一体的に組み付けられる。
本体前部２１３には、蛍光ランプ３０をソケット２１に装着した際に、口金３２の係止凸部３２１を保持する一対の保持部材２４、２４が設けられている。保持部材２４はバネ部材で形成されており、係止凸部３２１を係止する係止凹部２４１を有する。
【００２９】
本体後部２１２の軸方向端部側には一対の導電板２５が収容されており、ランプピン（図示省略）を挿入して導電板２５と導通するための開口２１５が設けられている。本体後部２１２の軸方向中心側面には、電力供給用の電線を導電板２５に接続するための一対の電線挿入穴２１６、２１６が開口している。また、本体後部２１２の幅方向両側面には、係合部である軸部２１４が幅方向外向きに突設されている。軸部２１４は、円形断面あるいは一部切除した円形断面をしており、蛍光ランプ３０側の端部（上端部）は円形となっている。
【００３０】
取付台２２は、取付面２０１に対向する底板２２１と、底板２２１の軸方向中央部において底板２２１の幅方向両端部から直角に曲げ上げたソケット本体用係止板２２２を有する。また、底板２２１の前端部には、器具本体２０に取付けるための器具用装着部としての位置決め突起２２４が下方に突出して設けられており、底板２２１の後端部には、器具用装着部としてのネジ穴２２７が設けられている。
従って、位置決め突起２２４を器具本体２０の位置決め穴２０２に挿嵌し、ネジ穴２２７をネジ止めすることにより、ソケット２１を容易に所定位置に取り付けることができる。
【００３１】
底板２２１には、ソケット本体２１１を浮かせた状態で支持するための弾性体としての複数（ここでは２個）の板バネ２６が設けられている。板バネ２６は、取付部である取付台２２の底板２２１を切り起こして設けられており、隣接する板バネ２６の切り起こし方向は互い違いとなっている。
【００３２】
ソケット本体用係止板２２２には、ソケット本体用係止部である係止穴２２３が設けられている。取付台２２の係止穴２２３と、ソケット本体２１１の軸部２１４とは、凹凸を構成しており、凹側である係止穴２２３の内径は、凸側である軸部２１４の外径よりも大きい。このため、軸部２１４は、係止穴２２３の内部を軸方向に移動可能となっており、ソケット本体２１１は取付台２２に対して軸方向に移動可能となっている。また、係止穴２２３は上下に長い長円形状に形成されており、ソケット本体２１１は取付台２２に対して上下方向にも移動可能となっている。
【００３３】
軸部２１４を係止穴２２３に挿通した状態で、軸部２１４の先端にはネジ２３が締結される。ネジ２３は、ネジ部２３１と頭部２３２とを有する。ネジ部２３１の外径は係止穴２２３の内径よりも小さく、頭部２３２の外径は係止穴２２３の内径よりも大きい。これにより、軸部２１４が係止穴２２３から脱落するのを防止する。
【００３４】
次に、図２に基づいて、器具本体２０がねじれた際のソケット２１の挙動について説明する。なお、取付台２２は器具本体２０と一体的に挙動するので、取付台２２に対するソケット本体２１１の挙動について説明する。
【００３５】
まず、器具本体２０が、器具本体２０の長手方向の軸を中心として幅方向に捩れた場合（図２（Ｂ）中矢印Ａ方向）について説明する。
ソケット本体２１１は板バネ２６によって取付台２２から浮いた状態にあり、ソケット本体２１１の軸部２１４が取付台２２の係止穴２２３の内部を上下（図２（Ｂ）中矢印Ｂ、Ｃ方向）に移動する。このとき、左右の軸部２１４の上下方向の移動量が異なることにより、ソケット本体２１１は取付台２２３に対して相対的に図２（Ｂ）中矢印Ｄ方向に回転する。これにより、器具本体２０の捩れを吸収する。
【００３６】
次に、器具本体２０が、器具本体２０の長手方向の軸に直交する軸を中心として長手方向に捩れた場合（図２（Ａ）中矢印Ｅ方向）について説明する。
ソケット本体２１１の軸部２１４は円形断面であり、ソケット本体２１１は軸部２１４を中心として取付台２２に対して回転できる（図２（Ａ）中矢印Ｆ）。これにより、器具本体の長手方向の捩れを吸収する。
【００３７】
以上、説明した第１実施形態に係る照明器具１０によれば、ソケット２１においてランプピンが挿嵌されるソケット本体２１１が、取付台２２により移動可能に保持されるとともに、ソケット本体２１１と取付台２２との間に板バネ２６を設けたので、器具本体２０が捩れてもソケット本体２１１が姿勢を修正でき、確実に蛍光ランプ３０を保持できる。また、板バネ２６のみによってソケット本体２１１の姿勢を保持するので、部品点数を減少させてコストダウンと図るとともに薄型化を図ることができる。
【００３８】
また、取付台２２にソケット本体２１１を係止する係止穴２２３を設けるとともに、ソケット本体２１１に取付台２２と係合する軸部２１４を設けたので、係止穴２２３および軸部２１４を介して、ソケット本体２１１は取付台２２に揺動可能に保持される。また、取付台２２に位置決め突起２２４を設けるとともに、器具本体２０に位置決め穴２０２を設けたので、容易にソケット２１の位置決めを行うことができる。
【００３９】
また、係止穴２２３と軸部２１４は、器具本体２０の取付面２０１に対して垂直方向に設けられているので、ソケット本体２１１は上下方向へ移動可能であり、器具本体２０の幅方向の捩れを吸収することができる。また、係止穴２２３と軸部２１４とは凹凸で係合しており、凸側である軸部２１４が円形であるので、ソケット本体２１１は軸部２１４を中心として回転でき、器具本体２０の長手方向の捩れを吸収できる。
【００４０】
また、係止穴２２３の内径は、軸部２１４の外径よりも大きいので、器具本体２０は、上下方向および前後方向にも移動可能となる。
【００４１】
また、ソケット本体２１１と取付台２２との間に弾性体として板バネ２６を設けたので、器具本体２０が捩れてもソケット本体２１１が姿勢を修正でき、確実に蛍光ランプ３０を保持できる。また、板バネ２６のみによってソケット本体２１１の姿勢を保持するので、部品点数を減少させてコストダウンと図るとともに薄型化を図ることができる。
【００４２】
また、板バネ２６が取付台２２を切り起こして形成されているので、他の部品を用いる必要がなく、部品点数を減少させてコストダウンと図るとともに薄型化を図ることができる。
【００４３】
さらに、板バネ２６の切り起こしの向きが互い違いであるので、ソケット本体２１１の下面を均等に支持することができ、ソケット本体２１１の姿勢を適正に保持することができる。
【００４４】
（第２実施形態）
次に、本発明の第２実施形態に係る照明器具を図５に示す。
なお、前述した第１実施形態に係る照明器具１０と共通する部位には同じ符号を付して、重複する説明を省略することとする。
【００４５】
図５に示すように、本発明の第２実施形態の照明器具１０Ｂでは、器具本体２０とソケット本体２１１Ｂとの間に、弾性体としてゴム板２７やスポンジを介装した。また、ソケット本体２１１Ｂの幅方向両側に取付部としてのブラケット２１７を設け、ボルト・ナット２７１により器具本体２０に取り付けた。なお、ソケット本体２１１Ｂは、ボルト２７１に沿って所定範囲で上下移動可能であり、ゴム板２７によって常時上方へ付勢されている。
【００４６】
このようにしても、ソケット本体２１１Ｂはボルト２７１の長さに応じて器具本体２０に対して移動可能なので、器具本体２０が捩れてもソケット本体２１１Ｂは姿勢を修正でき、確実に蛍光ランプ３０を保持できる。また、部品点数を減少させてコストダウンと図るとともに薄型化を図ることができる。さらに、ゴム板２７板バネ２６の切り起こしも必要なく、簡単な構成とすることができる。
【００４７】
（第３実施形態）
次に、本発明の第３実施形態に係る照明器具を図６に示す。
なお、前述した第１実施形態に係る照明器具１０と共通する部位には同じ符号を付して、重複する説明を省略することとする。
【００４８】
図６に示すように、本発明の第３実施形態の照明器具１０Ｃでは、取付台２２Ｃとソケット本体２１１Ｃとの間に板バネ２６Ｃを設けた。板バネ２６Ｃは、取付台２２Ｃとは別体の一枚の板部材を切り起こして形成されている。
【００４９】
そして、ソケット本体２１１Ｃの幅方向両側面に係合部として係合凹部２１８を設けるとともに、取付台２２Ｃの上端部を内側に折り曲げて、係合凹部２１８を係止するソケット本体用係止部としての係止片２２５を設けた。また、取付台２２Ｃには、器具装着部としてのブラケット２２６を設け、ネジ２２７により器具本体２０に取り付けた。
【００５０】
このようにしても、ソケット本体２１１Ｃは係合凹部２１８の範囲内で取付台２２Ｃに対して移動可能なので、器具本体２０が捩れてもソケット本体２１１Ｃが姿勢を修正でき、確実に蛍光ランプ３０を保持できる。
【００５１】
なお、本発明の照明器具は、前述した各実施形態に限定されるものでなく、適宜な変形，改良等が可能である。
【符号の説明】
【００５２】
１０  照明器具
２０  器具本体
２０１  取付面
２０２  位置決め穴（被装着部）
２１  ソケット
２１１  ソケット本体
２１４  軸部（係合部、凸側）
２２  取付台（取付部）
２２３  係止穴（ソケット本体用係止部、凹側）
２２４  器具用装着部
２６  板バネ（弾性体）
３０  蛍光ランプ
３１  発光管
３２  口金
【図１】
2011009001.tif 000003
【図２】
2011009001.tif 000004
【図３】
2011009001.tif 000005
【図４】
2011009001.tif 000006
【図５】
2011009001.tif 000007
【図６】
2011009001.tif 000008
【図７】
2011009001.tif 000009